(57)【要約】【課題】  筆記具外装として用いられる部材の種類を限定することや部品点数を増加させることなく像の形成ができ、形成される像が擦過等による剥離を生じることなく良好な視認性を長期的に発現する装飾効果の高い筆記具部材とそれを用いた筆記具を提供する。【解決手段】  筆記具外装を構成する筆記具部材１であって、再帰反射面４を有する像２が形成される筆記具部材１。前記再帰反射面４が、広角プリズム型再帰反射面である。前記筆記具部材１を用いた筆記具５。【選択図】  図１
2012232479.tif 000002
【特許請求の範囲】
【請求項１】
筆記具外装を構成する筆記具部材であって、再帰反射面を有する像が形成される筆記具部材。
【請求項２】
前記再帰反射面が、広角プリズム型再帰反射面である請求項１記載の筆記具部材。
【請求項３】
前記広角プリズム型再帰反射面が、フルキューブコーナー型再帰反射面である請求項２記載の筆記具部材。
【請求項４】
前記筆記具部材が樹脂成形物であり、再帰反射面が筆記具部材成形時に外面に一体形成される請求項１乃至３のいずれかに記載の筆記具部材。
【請求項５】
前記樹脂成形物が透明樹脂材料により形成される請求項４記載の筆記具部材。
【請求項６】
キャップ、クリップ、軸筒、頭冠、尾栓のいずれかから選ばれる一種である請求項１乃至５のいずれかに記載の筆記具部材。
【請求項７】
前記請求項１乃至６のいずれかに記載の筆記具部材を用いた筆記具。
【発明の詳細な説明】
【技術分野】
【０００１】
本発明は筆記具部材とそれを用いた筆記具に関する。詳細には、外面に像が形成された筆記具外装として用いられる筆記具部材とそれを用いた筆記具に関する。
【背景技術】
【０００２】
従来、筆記具外面への外装装飾や商品名、企業名等の像を形成する手段としては、成形用金型への彫り込み加工による凹凸形成、スクリーン印刷やパッド印刷等による直接印刷が広く用いられている（例えば、特許文献１乃至３参照）。
前記凹凸形成による像は、金型への彫り込み加工によって部材成形時に像を一体的に形成できるため、印刷等の後加工を施す必要なく像形成できるものであるが、形成される像の視認性が悪く、装飾部として適用するには目立たないものであった。また、凹凸部分表面にシボ加工や梨地加工を施した場合も十分な視認性は得られ難いものであった。
【０００３】
前記直接印刷による像は、視認性が高く、複数色の印刷インキを用いることでカラフルな装飾を施すことが可能である。しかしながら外面に形成した印刷像は、擦過により剥離され易いため、長期間の使用によって視認できなくなることがある。これを解消するために、透明な外装部材の内側に印刷を施す技術が開示されている（例えば、特許文献４参照）。
前記特許文献４の技術を適用することで、印刷像が擦過されることを抑制できるため、剥離による視認性の悪化は無くなるものの、筒状部材への形成ができない等、適用できる場所が限られてしまう。更に、クリップ等の非筒状部材に適用した場合であっても、軸筒やキャップと別体で形成したクリップ部材を印刷後に組み立てる必要があるため、部品点数が増加するとともに組立工程が必要となる。
また、前記特許文献２乃至４の直接印刷による像形成は、いずれも筆記具部材に対して特殊なインキを用いての後加工が必要となるため、製造コストが高くなるものであった。
【先行技術文献】
【特許文献】
【０００４】
【特許文献１】特開２００２−３７０４８７号公報
【特許文献２】特開平６−１５５８８６号公報
【特許文献３】特開２００７−２３７４２５号公報
【特許文献４】実開平７−１２２８９号公報
【発明の概要】
【発明が解決しようとする課題】
【０００５】
本発明は、筆記具外装として用いられる部材の種類を限定することや部品点数を増加させることなく像の形成ができ、形成される像が擦過等による剥離を生じることなく良好な視認性を長期的に発現する装飾効果の高い筆記具部材とそれを用いた筆記具を提供するものである。
【課題を解決するための手段】
【０００６】
本発明は、筆記具外装を構成する筆記具部材であって、再帰反射面を有する像が形成される筆記具部材を要件とする。
更に、前記再帰反射面が、広角プリズム型再帰反射面であること、前記広角プリズム型再帰反射面が、フルキューブコーナー型再帰反射面であることを要件とする。
更に、前記筆記具部材が樹脂成形物であり、再帰反射面が筆記具部材成形時に外面に一体形成されること、前記樹脂成形物が透明樹脂材料により形成されることを要件とする。
更に、筆記具部材がキャップ、クリップ、軸筒、頭冠、尾栓のいずれかから選ばれる一種であることを要件とする。
更には、前記いずれかの筆記具部材を用いた筆記具を要件とする。
【発明の効果】
【０００７】
本発明により、筆記具外装として用いられる部材の種類を限定することや部品点数を増加させることなく像形成でき、形成される像が擦過等による剥離を生じることなく良好な視認性を長期間発現する装飾効果の高い筆記具部材とそれを用いた筆記具となる。
また、前記再帰反射面を金型のキャビティへの直接加工によって形成することで、成形時に一体的な像形成が可能となるため、視認性の高い像をより安価に形成できる。
【図面の簡単な説明】
【０００８】
【図１】本発明の筆記具部材（キャップ）を用いた筆記具の一例を示す概観図である。
【図２】図１の像形成部分の要部拡大図である。
【発明を実施するための形態】
【０００９】
本発明の筆記具部材１とそれを用いた筆記具５の実施形態について図面を用いて説明するがこれに限定されるものではない。
前記筆記具部材１は、筆記具外装として用いられる部品であり、外面に再帰反射面４（フルキューブコーナー型再帰反射面３）を有する像２が形成されるものである。
【００１０】
前記再帰反射面とは、入射した光が入射角度にかかわらず、再び入射した方向へ帰る反射現象（再帰反射）を発現する面をさし、光学上の特殊な反射機構を発現する面である。前記再帰反射では、入射角と反射角が等しくなる鏡などの反射とは異なり、乱反射による光の拡散が少なく、外側から受けた光をそのまま光源にはね返すため、外側から視覚される再帰反射面が明瞭に視認できるものとなる。
【００１１】
前記再帰反射面としては、高屈折ガラスビーズによるカプセルレンズ型再帰反射面、封入レンズ型再帰反射面、露出レンズ型再帰反射面や、プリズム素子（透明三角錐）による広角プリズム型再帰反射面が適用できるが、特に多面的に再帰反射する広角プリズム型再帰反射面が好適である。
前記広角プリズム型再帰反射面は、球体の一部で光を受けるガラスビーズに比べて三面を使って光源に向う反射を呈するため、より強い光を反射して鮮明な視認性を発現する。なかでも、特に好ましくはフルキューブコーナー型再帰反射面が適用される。
【００１２】
前記フルキューブコーナー型再帰反射面３とは、プリズム素子を用いた反射面の一種であり、入射光と反射光の再帰反射関係によって、プリズム素子形成面に非形成面とのコントラストに伴う明瞭な視認性を付与するものである。
前記プリズム素子として一般的に適用される三面体プリズム素子（三角錐内部を底面側から視覚する形状）には、再帰反射面とともに、コーナー付近に非再帰反射面が形成されるため、再帰反射に寄与する面積が部分的に欠如する（具体的に再帰反射に寄与する面積は６０％程度となる）。これに対して、フルキューブコーナー型再帰反射面３は、前記三面体プリズム素子に形成される再帰反射面４のみを並べることで形成されているため（図２参照）、全面が再帰反射に寄与し、より鮮明な像を視認可能にできるものである。
【００１３】
前記再帰反射面４（フルキューブコーナー型再帰反射面３）の形成は、透明筆記具部材成形時の一体形成、筆記具部材の透明箇所へのパターン押圧による形成、再帰反射シートの転写や貼着等の手段により形成できる。
特に、金型のキャビティ面（像が形成される凹凸部分）に再帰反射パターン（フルキューブコーナー型再帰反射パターン）を刻印（彫り込み加工）し、透明樹脂（着色透明や半透明を含む）を用いて射出成形等で筆記具部材１を成形することによって像２を設けたものは、像２の視認性が良好で目立つものとなるとともに、筆記具部材１への後加工が不要となるため、より有用である。
【００１４】
前記筆記具部材１は、樹脂や金属、木材、セラミック等の材質から構成される筆記具外装構成パーツであり、キャップ、クリップ、軸筒、頭冠、尾栓等の筆記具外装を構成して直接最外面として使用されるものの他、透明フィルムによって被覆されるタイプや、樹脂製透明外筒によって被覆される内筒等、外側から視認可能なパーツを含むものである。
【００１５】
図１における筆記具部材１は、頭冠と内栓を有する透明樹脂製キャップ本体であり、側面に「ＡＢＣ」の凹状の像２が形成されている。
前記キャップ本体を成形する金型のキャビティ表面には、「ＡＢＣ」の像となる凸部が形成されており、該凸部の頂部表面（即ち、形成される像２の凹部内の平面）には、フルキューブコーナー型再帰反射パターンが形成されている。尚、前記キャビティの凸部の頂部表面は平面状に形成されているが、円筒状キャップの曲面に合わせて曲面状とし、得られる文字面を曲面とすることもできる。
前記金型を用いて、所望の樹脂材料（例えば透明ポリカーボネート樹脂）による射出成形を行うことで、キャップ本体が成形される。その際、得られたキャップ本体の表面には、フルキューブコーナー型再帰反射面３を有する「ＡＢＣ」の凹状像２が一体に形成される。そのため、凹状像２は視認性が高く明瞭な「ＡＢＣ」の文字として視覚できる。
尚、本実施形態ではキャップ側面に凹状の像２が形成されるが、表面（突出部外面）にフルキューブコーナー型再帰反射面３を有していれば凸状の像であってもよい。
また、前記再帰反射面による像２とともに、従来の印刷形態の像を併設することも可能である。
【００１６】
前記キャップは、砲弾形繊維チップを先端に備え、インキが充填されたインキ吸蔵体が内設されるマーキングペン本体に嵌着されることで、筆記具５（キャップ式マーキングペン）が構成される。前記マーキングペン本体は、不透明着色樹脂成形物である外装（軸体）を備えており、キャップ嵌合状態であっても像２は明瞭に視覚できるものであった。
前記筆記具５としては、筆記具本体に樹脂や金属、木材、セラミック等の材質からなる外装を用いたマーキングペンやボールペン、更には万年筆やシャープペンシル等、汎用形態の筆記具が適用できる。
【００１７】
前記マーキングペンとしては、例えば、繊維チップ、フェルトチップ、プラスチックチップ、金属加工チップ等のマーキングペン用ペン先を筆記先端部に装着し、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させて筆記先端部に所定量のインキを供給する構造、軸筒内部に直接インキを収容し、弁機構により筆記先端部に所定量のインキを供給する構造のマーキングペン等が挙げられる。
【００１８】
また、ボールペンとしては、例えば、軸筒内にインキ組成物を充填したインキ収容管を有し、該インキ収容管はボールを先端部に装着したチップに連通しており、更にインキの端面にはインキ逆流防止体が密接する構造、チップを軸筒先端に接続し、該軸筒内にインキ組成物を直に充填すると共に、インキの端面にインキ逆流防止体が密接する構造、軸筒内部に収容した繊維束からなるインキ吸蔵体にインキを含浸させ、チップにインキを供給する構造、櫛溝状のインキ流量調節部材や繊維束からなるインキ流量調節部材を介在させてチップに所定量のインキを供給する構造のボールペン等が例示できる。
【００１９】
前記筆記具５は、本実施形態のようなペン先（チップ）を覆うキャップを備えたキャップ式形態の他、ノック式、回転式、スライド式等の出没機構を有し、軸筒内にペン先を収容可能な出没式形態であってもよい。尚、出没式形態とする場合、レフィルを一本収容するタイプだけでなく、二本以上収容して所望のレフィルを選択的に出没できる複式タイプとすることもできる。
また、相異なる形態のペン先を装着させたり、相異なる色相のインキを導出させるペン先を装着させた両頭式形態であってもよい。
【符号の説明】
【００２０】
１  筆記具部材（キャップ）
２  像（凹面）
３  フルキューブコーナー型再帰反射面
４  再帰反射面
５  筆記具（キャップ式マーキングペン）
【図１】
2012232479.tif 000003
【図２】
2012232479.tif 000004